(57)【要約】【課題】  デジタル放送受信装置において、ワーク鍵未設定エラー時にきめ細かいメッセージを表示させる。【解決手段】  選局手段１０２は、ＥＣＭおよびＥＭＭが多重されたデジタル放送信号から所望の番組を選局する。分離手段１２１はＥＣＭ及びＥＭＭを分離する。ＥＭＭ復号手段１２２ｄはＥＭＭを復号する。復号されたＥＭＭから第１の鍵を得る。ＥＣＭ復号手段１２２ｃは、分離されたＥＣＭを、前記第１の鍵を用いて復号する。復号されたＥＭＭおよび復号されたＥＣＭから第２の鍵を得る。視聴可否判定手段１２２ｇは番組の視聴可否を判定する。システムコントローラ１０５は、ワーク鍵未設定時にネットワークインタフェース部１１０を経由して情報提供サーバと通信し、提供された情報を表示するための画像をＯＳＤ表示処理部１０６に生成させる。【選択図】      図１
2006135589.tif 000002
【特許請求の範囲】
【請求項１】
ＥＣＭ（Entitlement Control Message）およびＥＭＭ（Entitlement Management Message）が多重されたデジタル放送信号から所望の番組を選局する選局手段と、
前記選局手段により選局されたデジタル信号からＥＣＭ及びＥＭＭを分離する分離手段と、
前記分離手段により分離されたＥＭＭを復号するＥＭＭ復号手段と、
前記復号されたＥＭＭから第１の鍵を得る手段と、
前記分離手段により分離されたＥＣＭを、前記第１の鍵を用いて復号するＥＣＭ復号手段と、
前記復号されたＥＭＭおよび前記復号されたＥＣＭから第２の鍵を得る手段と、
前記デジタル信号を前記第２の鍵を用いてデスクランブルするデスクランブル手段と、
前記ＥＣＭ復号手段により復号されたＥＣＭおよび前記ＥＭＭ復号手段により復号されたＥＭＭを用いて、前記所望の番組の視聴可否を判定する視聴可否判定手段と、
前記ＥＣＭ復号手段により復号されたＥＣＭと前記ＥＭＭ復号手段により復号されたＥＭＭとから、前記デスクランブルするための前記第１の鍵の不一致または前記第１の鍵自体の未設定を判定するワーク鍵設定判定手段と、
外部ネットワークに接続するためのネットワークインタフェース手段と、
前記ワーク鍵設定判定手段からワーク鍵未設定通知を受けたときに前記ネットワークインタフェース手段を経由して情報提供サーバと通信する通信手段と、
前記情報提供サーバから提供された情報を表示するための画像を生成する画像生成手段と、
この画像生成手段により生成された画像を出力する画像出力手段を備えたことを特徴とするデジタル放送受信装置。
【請求項２】
前記ネットワークインタフェース手段がネットワークにアクセス可能か否かを判断する接続状態判断手段と、
前記ワーク鍵設定判定手段からワーク鍵未設定通知を受けたときに、前記接続状態判断手段がアクセス可能と判断した場合に、前記情報提供サーバに接続して前記ＥＭＭを取得する手段とを備え、
ＥＭＭ復号手段は、前記情報提供サーバから取得したＥＭＭを復号することを特徴とする請求項１記載のデジタル放送受信装置。
【請求項３】
前記ネットワークインタフェース手段がネットワークにアクセス可能か否かを判断する接続状態判断手段と、
前記第１の鍵が得られていないときに、前記接続状態確認手段がアクセス不可能と判断した場合に、前記第１の鍵が設定されていないことを示す情報を出力する出力手段とを備えたことを特徴とする請求項１または２記載のデジタル放送受信装置。
【請求項４】
前記ネットワークインタフェース手段がネットワークにアクセス可能か否かを判断する接続状態判断手段と、
前記接続状態確認手段がアクセス不可能と判断した場合に、ネットワークへの接続を促す情報を出力する出力手段とを備えたことを特徴とする請求項１乃至３のいずれか１項に記載のデジタル放送受信装置。
【請求項５】
前記情報提供サーバは放送事業者毎に異なるＩＤを持ち、前記情報提供サーバから放送事業者別に情報を取得することを特徴とする請求項１乃至４のいずれか１項に記載のデジタル放送受信装置。
【請求項６】
前記デジタル放送信号からＥＭＭを取得したことを検出する検出手段と、
この検出手段がＥＭＭを取得したことを検出したとき、前記画像出力手段または前記出力手段の出力を停止させる出力停止制御手段を備えたことを特徴とする請求項１乃至５のいずれか１項に記載の
デジタル放送受信装置。
【請求項７】
前記デジタル放送信号からＥＭＭを取得したことを検出する検出手段と、
この検出手段がＥＭＭを取得したことを検出したとき、前記ネットワークとの接続を停止させる接続停止制御手段を備えたことを特徴とする請求項１乃至６のいずれか１項に記載のデジタル放送受信装置。
【請求項８】
前記ネットワークインタフェース手段を経由して前記情報提供サーバへ受信装置固有ＩＤを送信するＩＤ送信手段と、
前記受信装置固有ＩＤを受けて前記放送事業者または前記情報提供サーバから送信された受信装置固有の情報を受信する固有情報受信手段を備えたことを特徴とする請求項１乃至７のいずれか１項に記載のデジタル放送受信装置。
【請求項９】
前記ネットワークインタフェース手段を経由して前記情報提供サーバへ放送事業者固有のＩＤを送信するＩＤ送信手段と、
前記放送事業者固有ＩＤを受けて前記放送事業者または前記情報提供サーバから送信された放送事業者固有の情報を受信する固有情報受信手段を備えたことを特徴とする請求項１乃至７のいずれか１項に記載のデジタル放送受信装置。
【請求項１０】
前記画像出力手段および前記出力手段の出力を表示する表示手段を備えることを特徴とする請求項１乃至９のいずれか１項に記載のデジタル放送受信装置。
【請求項１１】
ＥＣＭ（Entitlement Control Message）およびＥＭＭ（Entitlement Management Message）が多重されたデジタル放送信号から所望の番組を選局し、
前記選局されたデジタル信号からＥＣＭ及びＥＭＭを分離し、
前記分離されたＥＭＭを復号し、
前記復号されたＥＭＭから第１の鍵を得、
前記分離されたＥＣＭを、前記第１の鍵を用いて復号し、
前記復号されたＥＭＭおよび前記復号されたＥＣＭから第２の鍵を得、
前記デジタル信号を前記第２の鍵を用いてデスクランブルし、
前記復号されたＥＣＭおよび前記復号されたＥＭＭを用いて、前記所望の番組の視聴可否を判定し、
前記復号されたＥＣＭと前記復号されたＥＭＭとから、前記デスクランブルするための前記第１の鍵の不一致または前記第１の鍵自体の未設定を判定し、
この判定の結果が前記第１の鍵の不一致または前記第１の鍵自体の未設定を示すときにネットワークインタフェースを経由して情報提供サーバと通信し、
前記情報提供サーバから提供された情報を表示するための画像を生成し、
この生成した画像を出力することを特徴とするデジタル放送受信方法。
【発明の詳細な説明】
【技術分野】
【０００１】
この発明は、受信装置に関し、特にデジタル放送を受信するデジタル放送受信装置および方法に関する。
【背景技術】
【０００２】
既に開始されている地上デジタル放送では権利者の権利を保護するために現存するアクセス制御方式を利用した権利保護方式によりコンテンツを保護している。この方式（以下Ｂ−ＣＡＳ方式と呼ぶ）は（社）電波産業審議会標準規格  デジタル放送におけるアクセス制御方式（ＡＲＩＢ  ＳＴＤ−Ｂ２５  ４．１版）で規定されており、ＩＣカードを用いて有料放送に対応したものである（例えば、特許文献１参照）。
【０００３】
また、ＩＣカードを用いる必要のない権利保護に特化した新方式の導入が電波産業審議会で検討されようとしている。
既に運用されているＢ−ＣＡＳ方式における権利保護方式では、発行するＩＣカードに権利保護に用いるＥＣＭを復号するための暗号復号鍵（以下ワーク鍵と呼ぶ）をＩＣカードに事前に書き込んであるため、ユーザはデジタル放送受信装置を購入後、すぐに番組を視聴することができる。またワーク鍵は放送事業者の間で共用されている。
【０００４】
上記新方式においては、放送事業者毎に個別の対応を行うためにワーク鍵の事前書き込みは行わず、放送事業者で常時ＥＭＭを送出する運用が予想される。この場合、ユーザはＥＭＭを受信するまでワーク鍵を入手できない期間があり、この期間については放送番組を視聴することができず、エラーが表示されることとなる。
【０００５】
このエラー表示は受信機組み込みの簡単な表示であり、きめ細かいメッセージを表示することができなかった。
【特許文献１】特開平４−１３８７３５号公報
【発明の開示】
【発明が解決しようとする課題】
【０００６】
このように従来のデジタル放送受信装置においては、ワーク鍵未設定エラー時にきめ細かいメッセージを表示させることができないという問題があった。
この発明は、ワーク鍵未設定エラー時にきめ細かいメッセージを表示させることができるデジタル放送受信装置および方法を提供することを目的とする。
【課題を解決するための手段】
【０００７】
上記の目的を達成するために、この発明においては、ＥＣＭ（Entitlement Control Message）およびＥＭＭ（Entitlement Management Message）が多重されたデジタル放送信号から所望の番組を選局する選局手段と、前記選局手段により選局されたデジタル信号からＥＣＭ及びＥＭＭを分離する分離手段と、前記分離手段により分離されたＥＭＭを復号するＥＭＭ復号手段と、前記復号されたＥＭＭから第１の鍵を得る手段と、前記分離手段により分離されたＥＣＭを、前記第１の鍵を用いて復号するＥＣＭ復号手段と、前記復号されたＥＭＭおよび前記復号されたＥＣＭから第２の鍵を得る手段と、前記デジタル信号を前記第２の鍵を用いてデスクランブルするデスクランブル手段と、前記ＥＣＭ復号手段により復号されたＥＣＭおよび前記ＥＭＭ復号手段により復号されたＥＭＭを用いて、前記所望の番組の視聴可否を判定する視聴可否判定手段と、前記ＥＣＭ復号手段により復号されたＥＣＭと前記ＥＭＭ復号手段により復号されたＥＭＭとから、前記デスクランブルするための前記第１の鍵の不一致または前記第１の鍵自体の未設定を判定するワーク鍵設定判定手段と、外部ネットワークに接続するためのネットワークインタフェース手段と、前記ワーク鍵設定判定手段からワーク鍵未設定通知を受けたときに前記ネットワークインタフェース手段を経由して情報提供サーバと通信する通信手段と、前記情報提供サーバから提供された情報を表示するための画像を生成する画像生成手段と、この画像生成手段により生成された画像を出力する画像出力手段を備えたことを特徴とするデジタル放送受信装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、ワーク鍵未設定エラー時にきめ細かいメッセージを表示させることができるデジタル放送受信装置を提供することができる。
【発明を実施するための最良の形態】
【００１０】
以下、図面を参照しながら本発明の実施形態について説明する。本発明はこれら実施形態に限定されることなく、種々工夫して用いることができる。
（第１の実施形態）
図１は、本発明の第１の実施形態に係るデジタル放送受信装置の構成を示すブロック図である。
なお、この図１においては本提案に関わる機能ブロックを中心に記載しており、受信装置として本来必要な番組配列情報（ＳＩ：SERVICE INFORMATION、ＰＳＩ：PROGRAM SPECIFIC INFORMATION）の処理手段や、その番組配列情報を利用した電子番組情報を視聴者へ提供するための処理手段等は省略しているほか、ＭＰＥＧ２トランスポートストリームをデマルチプレックスする処理、さらにデマルチプレックスした信号から映像・音声を復号する処理、ＭＰＥＧ２トランスポートストリームから映像・音声信号を出力するための一連の処理等をＭＰＥＧデコーダという記述にまとめている。
【００１１】
図１に示すように、デジタル放送受信装置１００は、放送信号を受信するためのアンテナ１０１から送られてきた放送波から所望の番組を選局する選局手段１０２、デスクランブラ１０３、デスクランブラ１０３からのデスクランブル化された信号が入力されるＭＰＥＧデコーダ１０４、システムを制御するシステムコントローラ１０５、ＭＰＥＧデコーダ１０４からの信号が入力されるＯＳＤ（オン・スクリーン・ディスプレイ）表示処理部１０６、インターネット等のネットワークインタフェース機能を有するネットワークＩ／Ｆ部１１０、リモコン受信部１１２、情報提供ＵＲＩデータベース１１３、選局手段１０２から供給される信号からＥＣＭ（Entitlement Control Message）、ＥＭＭ（Entitlement Management Message）を分離する分離手段１２１、受信装置組込みＲＭＰ処理部１２２から構成されている。
【００１２】
また、ＲＭＰ処理部１２２は、フィルタリング手段１２２ａ、デバイスＩＤを記憶するデバイスＩＤメモリ１２２ｂ、ＥＣＭ復号手段１２２ｃ、ＥＭＭ復号手段１２２ｄ、鍵Ｋｄｉを記憶するデバイス鍵Ｋｄｉメモリ１２２ｅ、ＥＭＭメモリ１２２ｆ、ＥＣＭ及びＥＭＭから視聴の可否を判定する視聴可否判定手段１２２ｇから構成されている。
【００１３】
また、デジタル放送受信装置１００の外部には、映像・音声信号を再生出力するためのモニタ１０７およびスピーカ１０８、サーバに接続するためのＡＤＳＬ（Asymmetric Digital Subscriber Line）モデム１０９、デジタル放送受信装置１００を遠隔操作するためのリモコン（リモート・コントローラ）１１１が設けられている。
【００１４】
システムコントローラ１０５は、インターネット等のネットワークインタフェース機能を有するネットワークＩ／Ｆ部１１０を介してＡＤＳＬモデム１０９と接続されている。
【００１５】
ＲＭＰ処理部１２２内の視聴可否判定手段１２２ｇは、ＥＣＭ及びＥＭＭから視聴可と判定した場合、デスクランブル鍵をデスクランブラ１０３に出力する。この結果、デジタル放送受信装置１００は、正しくデスクランブルされた番組を再生する。よって、ユーザは番組を視聴することができる。
【００１６】
また、ＲＭＰ処理部１２２内の視聴可否判定手段１２２ｇは、ＥＣＭ及びＥＭＭからリボーク状態であると判定した場合、デスクランブル鍵をデスクランブラ１０３に出力せず、ユーザに番組を視聴できなくなるようにするほか、リボークされていることを示すリボーク情報を、システムを制御するシステムコントローラ１０５へ与える。
【００１７】
このデジタル放送受信装置１００は、ＡＲＩＢ（社団法人電波産業会）等で規格化が検討されている「著作権保護方式」（ＲＭＰ方式）に対応している。この「著作権保護方式」では、番組提供者の権利を保護する観点から、無料放送においてスクランブルを利用し、番組の権利保護が可能な受信装置のみが番組を正しく復調できるようにしている。
【００１８】
こうすることで放送された番組の不正な複製を防止することを可能にしている。具体的には、デジタル放送用受信装置における番組の著作権保護を、以下に示すように実現している。
【００１９】
放送の送り手側では、番組を複製可能な回数等、番組を利用する上での利用条件（権利保護情報）を、番組と共に放送波により伝送する。
放送の送り手側は番組等をスクランブルする鍵（図１ではスクランブル鍵と記す）や、このスクランブル鍵を安全に伝送するために暗号化処理するための鍵（図１ではワーク鍵Ｋｗと記す）を管理する。
【００２０】
更に放送の送り手側は、ワーク鍵Ｋｗを権利保護情報に示す利用条件に従って動作をする受信装置に対してのみ付与するように、このワーク鍵Ｋｗを暗号化して伝送するための鍵（図１ではデバイス鍵Ｋｄｉと記す）を管理し、権利保護情報に示す利用条件に従って動作をする受信装置に対してのみデバイス鍵Ｋｄｉを配布する。
【００２１】
権利保護情報に示す利用条件に従って動作をする受信装置を製造することを約束した受信装置メーカーは、配布されたデバイス鍵Ｋｄｉを受信装置の製造時など出荷前に受信装置内に組み込むことが可能となる。
【００２２】
このように権利保護情報に示す利用条件に従って動作をする受信装置では、詳細は後述するが、与えられたデバイス鍵Ｋｄｉからワーク鍵Ｋｗ、スクランブル鍵を得て、番組をデスクランブルする。
【００２３】
また、このデスクランブルした番組を外部接続機器に出力する場合、この外部接続機器も権利保護情報に示す番組の使用条件に従う動作をするものである場合に限って出力するようにし、このときに権利保護情報を付加して出力する。
【００２４】
以上のようにして番組提供者の権利が保護されるのである。
次に図１に示すデジタル放送受信装置１００の動作について説明する。
先ず、このデジタル放送受信装置１００は、アンテナ１０１と接続されている。アンテナ１０１は放送波を受信するためのアンテナであり、ここでは衛星放送用のパラボラアンテナを示しているが、地上デジタル放送の場合にはＵＨＦ帯でよく用いられる八木式アンテナ等が利用される。アンテナ１０１で受信された放送波は、デジタル放送受信装置１００の選局手段１０２に入力される。
【００２５】
選局手段１０２は、視聴者が指定したチャンネルの信号を選択し、復調処理、同期検出、エラー訂正処理などを行い、ＭＰＥＧ２トランスポートストリームをデスクランブラ１０３および分離手段１２１へ出力する。なお、視聴者からのチャンネルの指定は、図１に記載したリモコン１１１から発信された信号を、リモコン受信部１１２で受け、システムコントローラ１０５で解析後、図示しない信号線を通じて選局手段１０２へ通知される。なお、ここでシステムコントローラ１０５はマイコンが利用されるのが一般的である。
【００２６】
デスクランブラ１０３は、視聴者が選択した番組の映像、音声信号やデータ放送信号を視聴、利用可能なようにデスクランブル処理し、ＭＰＥＧデコーダ１０４へ出力する。このデスクランブラ１０３へ与えられるスクランブル鍵は視聴可否判定手段１２２ｇから入力される。
【００２７】
ＭＰＥＧデコーダ１０４は、デスクランブラ１０３によりデスクランブル処理された信号をデコード処理し、デコード後の映像信号はＯＳＤ表示処理部１０６を経由して外部のモニタ１０７へ出力し、音声信号は外部のスピーカ１０８へ出力する。モニタ１０７は映像を再生表示し、スピーカ１０８は音声信号を再生出力する。
【００２８】
ＯＳＤ表示処理部１０６は、システムコントローラ１０５からの信号を元にＯＳＤ表示画像を生成し、この生成したＯＳＤ表示画像とＭＰＥＧデコーダ１０４が出力する信号による画像とを合成した映像信号としてモニタ１０７へ出力する。
【００２９】
なお著作権保護を可能とする受信装置は、デスクランブル後の信号を、図示しない出力インターフェースから放送信号の番組配列情報（ＳＩ、ＰＳＩ）で伝送される権利保護情報に従い保護してから出力する。ここでいう権利保護情報とは当該番組がコピー１回、コピーフリー、コピー禁止というコピー制御情報や、出力時に信号に暗号化処理を指定する情報などをいい、具体的にはデジタルコピー制御記述子，コンテント利用記述子を意味するが、今後の規格化により権利保護情報が増えることもあり得る。
【００３０】
なお、権利保護情報を含む番組配列情報（ＳＩ、ＰＳＩ）は図示しない処理部において選局手段１０２からの出力信号から分離し、権利保護情報を取り出すものとする。ここでは本発明に直接関係しないため詳細な説明は省略する。
【００３１】
分離手段１２１は、選局手段１０２から入力された信号からＥＣＭ、ＥＭＭを分離し、受信装置内に組込まれているＲＭＰ処理部１２２に出力する。
次に、ＲＭＰ処理部１２２の処理について説明する。なお、ＲＭＰ処理部１２２の処理のうち、少なくともＥＣＭ復号手段１２２ｃ、ＥＭＭ復号手段１２２ｄ、デバイス鍵Ｋｄｉ記憶メモリ１２２ｅ、ＥＭＭメモリ１２２ｆ、視聴可否判定手段１２２ｇはマイコンなどによりソフトウェア処理されることが多いと考えられる機能ブロックである。
【００３２】
ＥＭＭは、フィルタリング手段１２２ａに入力される。
フィルタリング手段１２２ａは、更に当該受信装置用のデバイスＩＤを有するデジタル放送受信装置１００用のＥＭＭのみが分離され、ＥＭＭ復号手段１２２ｄへ出力する。この分離には当該デバイスＩＤを有するデジタル放送受信装置１００に与えられたデバイスＩＤが使用される。このデバイスＩＤは受信装置機種もしくはメーカー毎に異なるＩＤであり、ＲＭＰ処理部１２２内のデバイスＩＤメモリ１２２ｂ内に製品出荷前に記憶される。このデバイスＩＤメモリ１２２ｂは不揮発性メモリであるものとする。このようにしてデジタル放送受信装置１００用のＥＭＭのみが分離される。
【００３３】
ＥＣＭは、ＥＣＭ復号手段１２２ｃへ入力される。
ＥＣＭ復号手段１２２ｃは、ＥＣＭを暗号復号処理し、視聴可否判定手段１２２ｇへ出力する。この暗号復号処理に使用される鍵は、後述するＥＭＭの情報の一部として伝送された鍵Ｋｗである。
【００３４】
このＥＣＭは、放送コンテンツ（映像、音声データなど）の暗号化に使用されるスクランブル鍵や、視聴条件を示す情報を含む情報である。この視聴条件を示す情報とは、放送が有料放送であるか無料放送であるかを表す情報のほか、後述するＥＭＭ（個別情報）と比較し視聴が可能かどうかを判定するための情報であり、番組の視聴条件を示す情報である。
【００３５】
ＥＭＭ復号手段１２２ｄは、フィルタリング手段１２２ａから入力されたＥＭＭを暗号復号処理し、ＥＣＭ復号手段１２２ｃおよびＥＭＭメモリ１２２ｆへ出力する。この復号処理に使用される鍵は、製品出荷前にデバイス鍵Ｋｄｉ記憶メモリ１２２ｅに記憶されている鍵であり、受信装置機種毎もしくはメーカー毎に異なる。
【００３６】
ＥＭＭメモリ１２２ｆは不揮発性メモリであり、ＥＭＭ復号手段１２２ｄにより暗号復号されたＥＭＭを記憶する。また、ＥＭＭメモリ１２２ｆは、記憶したＥＭＭを視聴可否判定手段１２２ｇへ出力する。このＥＭＭメモリ１２２ｆは、前述の鍵Ｋｗ（ワーク鍵）も記憶し、ＥＣＭ復号手段１２２ｃへ与える場合もあるが、図１では鍵の３重構造を見やすくするため、ＥＭＭ復号手段１２２ｄに鍵Ｋｗの不揮発性メモリがあることを前提として図示している。
【００３７】
このＥＭＭは、ＥＣＭを復号するための鍵Ｋｗや、当該デバイスＩＤ、Ｋｗを有する受信装置がリボークされているかどうかを示す情報（リボーク情報）を少なくとも含む情報である。
【００３８】
またＥＭＭはトランスポートストリーム毎にそれぞれ記憶される。トランスポートストリームを同定するトランスポートストリームＩＤは選局時に一意に決定され、さらに選局の元となるトランスポートストリームＩＤを含む選局パラメータのデータベースはあらかじめ作成されているものとする。このデータベースの作成は例えば（社）電波産業審議会技術資料  ＡＲＩＢ  ＴＲ−Ｂ１４  ２．０版第２編６．２．１で規定される初期スキャンの際にサービスリスト（受信周波数可能テーブル）のパラメータとしてＮＩＴ（Network Information Table）に記載されるトランスポートストリームＩＤを同時に記録することで実現することが可能である。
【００３９】
また、ワーク鍵Ｋｗはセキュリティーの低下を防ぐという目的から、定期的に例えば１ヶ月に１度などの更新周期で更新することがあり、更新時には事前に全てのデバイスＩＤの受信装置に向けて更新予定の新しいワーク鍵をＥＭＭに挿入して送付するようになっている。放送局では新しいワーク鍵の入ったＥＭＭをほぼ全ての受信装置が受信した頃を見計らってワーク鍵を更新する。
【００４０】
ＥＭＭメモリ１２２ｆは、トランスポートストリームに対応する鍵ＫｗをＥＣＭ復号手段１２２ｃに供給すると共に、鍵識別ＫｗＩＤを視聴可否判定手段１２２ｇに供給する。このときＥＭＭを受信していないため鍵識別ＫｗＩＤを記憶していなければ鍵識別ＫｗＩＤの代わりに鍵Ｋｗがないことを示す通知を視聴可否判定手段１２２ｇに供給する。
【００４１】
次に、視聴可否判定手段１２２ｇの判定動作について図２を用いて詳細に説明する。
図２に示すように、まず視聴可否判定手段１２２ｇは、システムコントローラ１０５へのエラー通知およびデスクランブラ１０３へのＫｗ書き込みを行う。
ステップＳ２０１では、ＭＰＥＧ２トランスポートストリームのスクランブルフラグを確認することにより、トランスポートストリームが非スクランブルか否かを判定する。ステップＳ２０１において、トランスポートストリームが非スクランブル状態であれば、ステップ２０２へ進む。ステップＳ２０１において、トランスポートストリームがスクランブル状態であれば、ステップ２０３へ進む。
【００４２】
なお、スクランブルフラグの状態は図示しない信号線により、デスクランブラ２３から視聴可否判定手段１２２ｇへ通知されるものとする。
ステップＳ２０２では、変数「エラー通知」に値「なし」を設定した後、処理を終了する。
ステップＳ２０３では、ＥＭＭメモリ１２２ｆを調べることによりＥＭＭメモリ１２２ｆにＫｗが設定済みか否かを判定する。ステップＳ２０３において、ＥＭＭメモリ１２２ｆにＫｗが設定済みのときはステップＳ２０４へ進み、未設定のときはステップＳ２０８へ進む。
【００４３】
ステップＳ２０４では、ＥＣＭのＫｗＩＤとＥＭＭメモリ１２２ｆに記憶されているＫｗＩＤとが一致するか否かを判定する。ステップＳ２０４において、２つのＫｗＩＤが一致していればステップＳ２０５へ進み、一致していなければステップＳ２０８へ進む。
【００４４】
ステップＳ２０５では、その他のエラーの有無を判定する。ステップＳ２０５において、その他のエラーが存在していればステップＳ２０６へ進み、存在していなければステップＳ２０７へ進む。
【００４５】
ステップＳ２０６では、変数「エラー通知」に値「なし」を設定すると共に、デスクランブラ１０３に鍵Ｋｗを書き込んだ後、処理を終了する。
ステップＳ２０７では、変数「エラー通知」に値「その他のエラー」を設定した後、処理を終了する。
ステップＳ２０８では、変数「エラー通知」に値「Ｋｗ未設定エラー」を設定した後、処理を終了する。
次に、「Ｋｗ未設定エラー」が発生したときのシステムコントローラ１０５の制御動作について図３を用いて説明する。
図３は、「Ｋｗ未設定エラー」が発生したときのシステムコントローラ１０５の制御動作を説明するためのフローチャートである。
ステップＳ３０１では、変数「エラー通知」に値「Ｋｗ未設定エラー」が設定されているか否かにより、Ｋｗ未設定エラーか否かを判断する。ステップＳ３０１において、Ｋｗ未設定エラーが検出されるとステップＳ３０２へ進み、Ｋｗ未設定エラーが検出されないとステップＳ３０１へ戻る。
【００４６】
ステップＳ３０２では、選局手段１０２により選局されたトランスポートストリームＩＤを元にして、このトランスポートストリームＩＤに該当する放送事業者の情報提供ＵＲＩ（Uniform Resource Identifier）をあらかじめデジタル放送受信装置内の情報提供ＵＲＩデータベース１１３から検索した後、ステップＳ３０３へ進む。図４に情報提供ＵＲＩデータベース１１３内に保存する情報提供ＵＲＩデータベースの保存形式の例を示す。
【００４７】
ステップＳ３０３では、ステップＳ３０２における検索の結果、選局されたトランスポートストリームＩＤに該当する放送事業者の情報提供ＵＲＩが情報提供ＵＲＩデータベース１１３の中に存在しているか否かを判定する。このステップＳ３０３においては、トランスポートストリームＩＤに該当する情報提供ＵＲＩが見付からなければ標準情報提供ＵＲＩを検索する。この標準情報提供ＵＲＩが存在すれば得られた標準情報提供ＵＲＩを情報提供ＵＲＩとする。最終的に情報提供ＵＲＩが得られればステップＳ３０５へ進み、得られなければステップＳ３０４へ進む。
【００４８】
ステップＳ３０４では、最終的に情報提供ＵＲＩが得られていないため、図５（ａ）に示すような文字や画像等から構成される「ワーク鍵未設定エラーを通知するためのメッセージ」の表示画像をＯＳＤ表示処理部１０６に作成させてＴＶモニタ１０７へ映像出力させた後、ステップＳ３０１へ戻る。
【００４９】
ステップＳ３０５では、インターネット接続が利用可能であるか否かを判定し、利用可能であればステップＳ３０７へ進み、利用可能でなければステップＳ３０６へ進む。この判定方法としては、例えばＥｔｈｅｒｎｅｔ（登録商標）の接続がリンク状態にあるか否かにより判定を行う。Ｅｔｈｅｒｎｅｔ（登録商標）接続がリンク状態にあるか否かについてはネットワークＩ／Ｆ部１１０が検知し、この結果をシステムコントローラ１０５に供給することにより、インターネット接続が可能か否かの判定を行う。
【００５０】
ステップＳ３０６では、インターネットが利用可能な状態ではないため、図５（ｂ）に示すような文字や画像等から構成される「インターネット接続を促すことを通知するためのメッセージ」の表示画像をＯＳＤ表示処理部１０６に作成させてＴＶモニタ１０７へ映像出力させた後、インターネット接続が可能になるまで待つ。
【００５１】
ステップＳ３０７では、インターネットが利用可能な状態なので、ＯＳＤ表示処理部１０６のＨＴＭＬブラウズ画像の表示を有効にして、情報提供ＵＲＩを指定してブラウズ処理を実行した後、ステップＳ３０８へ進む。このブラウズ処理においては、ネットワークＩ／Ｆ部１１０を経由してインターネット上の該当する情報提供サーバ上のＨＴＭＬ文書を読み込み、ＨＴＭＬブラウザによる表示画像としてＯＳＤ表示処理部１０６に書き込み、例えば図６（ａ）に示すような画像をモニタ１０７に表示させる。
【００５２】
ステップＳ３０８では、ユーザがブラウズを終了するか否かを判定し、終了しない場合にはステップＳ３０７へ戻り、終了する場合にはステップＳ３０９へ進む。例えばステップＳ３０８では、インターネット接続中に放送からＥＭＭを取得した場合、図６（ｂ）に示すようなブラウズ終了を確認するための画像をインターネット経由で得られたデータを用いて表示させる。
【００５３】
これにより、ＥＭＭの取得時には速やかに番組の受信に戻るようにユーザに促すことができる。
ステップＳ３０９では、ブラウズ処理を終了するための処理を実行する。例えば、ステップＳ３０８にて図６（ｂ）に示すようなブラウザ終了を確認するための画像が表示されているとき、ユーザがブラウザの終了処理を指示すればブラウズ終了処理を行う。このブラウザ終了処理としてはブラウズ処理を終了した後、ＯＳＤ表示処理部１０６のブラウザ表示を消去して通常の放送番組受信画像を表示する。
【００５４】
以上説明した通り、この発明によればワーク鍵未設定エラー時にきめ細かいメッセージを表示させることができるデジタル放送受信装置を提供することができる。
また、この発明によれば放送によるＥＭＭの受信を待たなくてもＥＭＭの取得を行うことができる。
また、本発明によればステップＳ３０４によりワーク鍵未設定エラーを表示しているので、ワーク鍵未設定通信経由できめ細かいエラー表示を行えないときには通常のエラー表示に切り替えることができる。また、ステップＳ３０６によりインターネット利用指示表示を行うことにより、通信不可能な場合のエラー表示を行うことができる。
【００５５】
また、本発明によればステップＳ３０５によりインターネットが利用可能でない場合に、ステップＳ３０６によりインターネット利用指示表示を行うことにより、ワーク鍵未設定エラーを通信経由で表示しようとした場合の障害にユーザが対処しやすくなる。
【００５６】
また、本発明によれば図４のように情報提供ＵＲＩを放送事業者毎に持たせることにより、放送事業者毎にエラー状態に対するきめ細かい表示を行うことができる。
（変形例）
以下、第1の実施形態の各種変形例について説明する。
本実施形態の変形例としては、ＵＲＩに選局中のネットワークＩＤ、トランスポートストリームＩＤや受信機のデバイスＩＤをクエリーとして付加しておいてもよい。例えば図４に示す情報提供ＵＲＩデータベース中のトランスポートストリームＩＤ＝1の情報提供ＵＲＩにおいて、例えばデバイスＩＤが“0x0123456789ab”であるとき、ＵＲＩは“http://0001ch.co.jp/kwerror.html?transport_stream_id=1&device_id=0123456789ab”のようにデバイスＩＤが挿入されたものを指定する。
【００５７】
システムコントローラ１０５は、上記ステップＳ３０７におけるブラウズ処理の実行以降ブラウズを終了するまでの間、ＷＷＷブラウザとして動作し、例えば図６に示すようにワーク鍵未設定エラーにおけるＥＭＭ取得に関する注意書きや断り書きを、放送受信装置組み込みのメッセージに限定されず、独自に表示することができる。
【００５８】
更にＵＲＩにクエリーが付加されていれば、情報提供サーバでクエリーに応じたページを用意し、受信装置側に表示させるようにすることもできる。
このように、本発明によれば情報提供ＵＲＩに受信機のデバイスＩＤをクエリーとして付加し、情報提供サーバでクエリーに応じたページを用意することにより、受信機に固有のエラー表示を行うことができる。
【００５９】
また、ｈｔｔｐプロトコルやｆｔｐプロトコルでＥＭＭファイルのデータを読み込むこともできる。例えば情報提供サーバは、既にクエリーで受け取ったデバイスＩＤを埋め込んだ文書を受信装置側へ送信し、受信装置側で図７のように表示させる。図7のボタン７０１はサーバ上に置かれているＥＭＭファイルにリンクされている。ユーザがボタン７０１を押す操作を行うと、情報提供サーバはクエリーのデバイスＩＤに相当するＥＭＭファイルを受信装置側へ送る。
【００６０】
受信装置側では、システムコントローラ１０５が、ブラウズ処理でＥＭＭファイルのダウンロードを行う。システムコントローラ１０５は、ダウンロードを終了すると、例えばファイルの拡張子（.emm）からＥＭＭファイルであることを識別し、このダウンロードしたＥＭＭファイルに含まれるＥＭＭをＲＭＰ処理部１２２に供給し、以下放送によりＥＭＭを受信したときと同様の処理を行う。
【００６１】
これにより放送経由でＥＭＭを受信するより前に、サーバ経由でＥＭＭを得ることができる。
また、直接ＥＭＭを取得することもできる。
受信装置側では、システムコントローラ１０５が、例えば図４の例に示すトランスポートストリームＩＤ＝２の情報提供ＵＲＩデータベース１１３にアクセスし、直接、情報提供サーバ「0002ch.co.jp」からＥＭＭファイル「data.emm」をダウンロードする。システムコントローラ１０５は、ＥＭＭファイルの読み込みを終了すると、インターネット接続中に放送経由でＥＭＭを取得した場合と同様に、ユーザにブラウザ終了を確認する画像を表示し処理を行う。
【００６２】
本実施形態においてはＥＭＭファイルのタイプであることを識別する方法としてファイル名の拡張子を用いた。しかし、他にもさまざまな方法を用いることができる。例えばＩＥＴＦ（Internet Engineering Task Force）発行のＲＦＣ１９４５“Hyper Text Transport Protocol  ─ＨＴＴＰ／１．０”に規定されるcontent-typeを定義して指定することができる。この場合ブラウザからcontent-typeに応じてアプリケーション（例えばＲＭＰ処理）にデータを引き渡して実行される。
【００６３】
また、本実施形態においてはＵＲＩを元にＨＴＭＬブラウザ表示を行ったが、ＵＲＩとしてＥＭＭファイルのＵＲＩを直接指定してもよい。更にこの場合直接ＥＭＭファイルを読み込むことができるためブラウザ表示を行わなくともよい。
【００６４】
また、本実施形態においてはトランスポートストリーム毎に情報提供ＵＲＩを指定していた。しかし、必ずしもこうする必要はなく、標準提供サーバのＵＲＩだけでもよい。
【００６５】
また、標準情報提供ＵＲＩがなくてもよい。この場合、図３のステップＳ３０２において該当するトランスポートストリームＩＤを持つ情報提供ＵＲＩ情報が登録されていなければ情報提供ＵＲＩはないとみなし、ステップＳ３０４の表示を行い処理を終了する。
【００６６】
また、本実施形態においてはデバイスＩＤをクエリーとして送信しているが、デバイスＩＤが識別できるのであればこれに限るものではなく、例えばディレクトリ名やファイル名がデバイスＩＤ毎に一意に分かれているようなＵＲＩでもよい。
【００６７】
また、ＥＭＭファイルとしてデバイスＩＤを指定せず複数のＥＭＭを含むファイルを情報提供サーバから読み込み、この読み込んだ中からＲＭＰ処理によりフィルタリングする形態として実施してもよい。
【００６８】
また、本実施形態においてはＥＭＭファイルの読み込みを終了したときやブラウザ実行中のＥＭＭ受信時のブラウザ終了の画像による確認（図６（ｂ））は省略して実施することができ、即時にブラウズ終了とみなして次の処理を行うようにしてもよい。
【００６９】
同様に、インターネット接続可能かどうかの確認、図３のステップＳ３０５、ステップＳ３０６を省略して実施することもできる。
また、本実施形態においてはインターネット接続が可能かどうかを確認するための情報としてネットワークのリンク状態を用いる方法を例として説明した。この他にも、ケーブルの接続の有無、特定の表示アドレスの有無、実際にいずれかのサーバもしくはＨＴＴＰプロクシサーバとパケットを送受し、この応答状態で確認するといった方法が考えられる。
【００７０】
また、本実施形態においてはエラーの通知方法として画像表示により通知したが、これに限らず音声により通知してもよい。この場合、音声処理部を設け、システムコントローラの制御に基き周知の音声出力を行う。
【００７１】
また、本実施形態中の構成ブロックにおける処理内容を部分的に、ソフトウェアで制御されるコンピュータによっても実現することができる。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。なお、コンピュータを動作させて本発明を実現するためのプログラムも、本発明の一態様である。
【００７２】
（第２の実施形態）
次に、本発明の第２の実施形態について更に図８および図９を用いて詳細に説明する。
この第２の実施形態は、第１の実施形態においてインターネット利用可能の判定の後、実際にインターネットに接続するか否かを問い合わせるものであり、異なる部分についてのみ説明をする。
【００７３】
「Ｋｗ未設定エラー」が発生したときのシステムコントローラ１０５の制御動作を説明する。
図８は、「Ｋｗ未設定エラー」が発生したときのシステムコントローラ１０５の制御動作を説明するためのフローチャートである。図８は、図３と比較して、ステップＳ３０５とステップＳ３０７との間に、新たにステップＳ８０１〜Ｓ８０４が追加されている。
【００７４】
ステップＳ３０５では、インターネット接続が利用可能であるか否かを判定し、利用可能であればステップＳ８０１へ進み、利用可能でなければステップＳ３０６へ進む。
【００７５】
ステップＳ８０１では、実際にインターネットに接続するか否かを問い合わせるための図９に示すようなインターネット接続をするか否かを選択するための確認用ＧＵＩ画像を表示するようＯＳＤ表示処理部１０６を制御する。
【００７６】
ステップＳ８０２では、ユーザが接続を許可すればステップＳ８０３へ進み、許可しなければステップＳ８０２へ戻る。
ステップＳ８０３では、実際にインターネットに接続する処理を行い、ステップＳ３０７へ進む。ステップＳ３０７以降は、第１の実施形態と同様にブラウズ表示処理以降の処理を実行する。
【００７７】
以上説明した通り、この発明によればワーク鍵未設定エラー時にきめ細かいメッセージを表示させることができるデジタル放送受信装置を提供することができる。
更に、本実施形態特有の効果としては、インターネットに接続する前に、ユーザにインターネットに接続するか否かを決めることができるので、ネットワーク接続時間を制限することができるという効果を得ることができる。例えばネットワーク接続時間に対して従量課金される場合に有効である。
【００７８】
また、本発明によればステップＳ８０２でインターネット接続許可された場合にステップＳ８０３でインターネット接続することにより、通信経由でエラー処理を行うときの通信時間を抑制することができる。
【００７９】
（第３の実施形態）
次に、本発明の第３の実施形態について更に図１０および図１１を用いて詳細に説明する。
第３の実施形態は、第１の実施形態を変形したものであり、第１の実施形態と異なる部分についてのみ説明をする。
図１０は、本発明の第３の実施形態に係るデジタル放送受信装置の構成を示すブロック図である。図１と比較して、システムコントローラ１０５がアクセス可能な不揮発性メモリ部１００１が新たに追加されている。
【００８０】
システムコントローラ１０５は、図１０に示す不揮発性メモリ１００１にＥＭＭファイルを保存する。この保存制御時にシステムコントローラ１０５は、ＥＭＭファイルを図１１に示すようにネットワークＩＤ毎に別々のディレクトリに分けて保存する。
【００８１】
不揮発性メモリ１００１は、例えばＡＲＩＢ  ＴＲ−１４  第３編の５．２に定義される地上デジタルテレビジョン放送事業者専用領域とする。この領域は放送事業者毎に定められ、ファイルはブロック番号で同定されるが、特定のブロック番号をＥＭＭファイル保存領域と定め、デジタル放送受信装置は該当するブロックにＥＭＭをＥＭＭファイルとして保存する。
【００８２】
第１の実施形態に示す操作に基づいて、情報提供サーバのＨＴＭＬ画像をブラウズしてＥＭＭを取得する場合、ＥＭＭファイルを不揮発性メモリ１００１のブロック番号０に保存する。保存処理はＨＴＭＬ文書中のスクリプト言語により行われる。ブラウザのスクリプト言語はＡＲＩＢ  ＳＴＤーＢ２４  ４．０版第２編７．５に規定される放送用拡張関数に従うブラウザ擬似オブジェクトが利用可能であるように拡張され、例えば少なくとも以下の２つの関数を実装しているとする。
・  数値データの不揮発性メモリからの読み込み・・・writePersistentArray()
・  数値データの不揮発性メモリへの書き込み・・・readPersistentArray()
スクリプト言語によりＥＭＭファイルが不揮発性メモリ１００１に書き込まれると、システムコントローラ１０５はこれを検知し、ＥＭＭファイルに含まれるＥＭＭをＲＭＰ処理部１２２に供給する。ＲＭＰ処理部１２２は、この供給されたＥＭＭを、放送により送られたＥＭＭと同様の処理を行う。
【００８３】
以上説明した通り、この発明によればワーク鍵未設定エラー時にきめ細かいメッセージを表示させることができるデジタル放送受信装置を提供することができる。
更に、本実施形態特有の効果としては、システムコントローラ１０５においてＲＭＰ処理を含む受信装置の通常の受信処理とブラウズ処理を切り分け、ＥＭＭを渡すためにデジタル放送受信装置として標準的に備える既存の不揮発性メモリを利用しているため、デジタル放送受信装置の構成との整合性がよい。
【００８４】
（第４の実施形態）
次に、本発明の第４の実施形態について説明する。
第４の実施形態は、第１の実施形態を変形したものであり、第１の実施形態と異なる部分についてのみ説明をする。
デジタル放送受信装置１００は、情報提供サーバＵＲＩにデバイスＩＤをクエリーとして付加したＵＲＩを指定してブラウズ処理を実行する。ブラウズ処理はＨＴＭＬ記述に従い、例えば図１２に示すような表示を行う。ユーザがブラウザの表示上のボタン１２０１を押すとデバイスＩＤとボタンの情報がクエリーとして情報提供サーバに送付され、情報提供サーバは該当するデバイスＩＤを持つＥＭＭを優先的に送信するよう図示しない放送システムに要求する。放送システムはこの要求を受け、該当するＥＭＭを検索し、放送信号として多重して速やかに送出する。
【００８５】
この結果デジタル放送受信装置１００は、ＥＭＭを速やかに受信することができる。
以上説明した通り、この発明によればワーク鍵未設定エラー時にきめ細かいメッセージを表示させることができるデジタル放送受信装置を提供することができる。
更に、本実施形態特有の効果としては、ユーザがボタンを押す動作はＨＴＭＬブラウザの仕様であるのでデジタル放送受信装置のＨＴＭＬブラウザの仕様を拡張せずに処理が可能である。
【００８６】
（第５の実施形態）
次に、本発明の第５の実施形態について説明する。
第５の実施形態は、第１の実施形態を変形したものであり、第１の実施形態と異なる部分についてのみ説明をする。
この第５の実施形態は、第１の実施形態においてネットワーク接続中にＥＭＭの受信によりブラウザが中止された場合、ブラウザの中止と共にネットワークＩ／Ｆ部１１０の電源を切る。この制御は、例えばシステムコントローラ１０５がネットワークＩ／Ｆ部１１０の電源を制御することにより行われる。
【００８７】
以上説明した通り、この発明によればワーク鍵未設定エラー時にきめ細かいメッセージを表示させることができるデジタル放送受信装置を提供することができる。
更に、本実施形態特有の効果としては、ネットワーク接続によるＥＭＭ取得の必要がなくなった場合にすみやかに電源を切断し、機器の電力消費の抑制を図ることができる。
【００８８】
また、本発明によればブラウザの中止とともにネットワークＩ／Ｆ部の電源を切るため、通信経由でエラー処理を行うときの電力消費を抑制することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８９】
【図１】本発明のデジタル放送受信装置の構成を示すブロック図。
【図２】視聴可否判定手段１２２ｇの判定動作を説明するためのフローチャート。
【図３】「Ｋｗ未設定エラー」が発生したときのシステムコントローラ１０５の制御動作を説明するためのフローチャート。
【図４】情報提供ＵＲＩデータベースの保存形式を示す図。
【図５】ＴＶモニタ１０７に表示される表示画像の例を示す図。
【図６】ＴＶモニタ１０７に表示されるＧＵＩ画像の例を示す図。
【図７】ＴＶモニタ１０７に表示されるＧＵＩ画像の例を示す図。
【図８】「Ｋｗ未設定エラー」が発生したときのシステムコントローラ１０５の制御動作を説明するためのフローチャート。
【図９】ＴＶモニタ１０７に表示されるＧＵＩ画像の例を示す図。
【図１０】本発明のデジタル放送受信装置の構成を示すブロック図。
【図１１】不揮発性メモリ１００１上に設けられた地上デジタルテレビジョン放送事業者専用領域を示す図。
【図１２】ＴＶモニタ１０７に表示されるＧＵＩ画像の例を示す図。
【符号の説明】
【００９０】
１００…デジタル放送受信装置、１０１…アンテナ、１０２…選局手段、１０３…デスクランブラ、１０４…ＭＰＥＧデコーダ、１０５…システムコントローラ、１０６…ＯＳＤ（オン・スクリーン・ディスプレイ）表示処理部、１０７…モニタ、１０８…スピーカ、１０９…ＡＤＳＬ（Asymmetric Digital Subscriber Line）モデム、１１０…ネットワークＩ／Ｆ部、１１１…リモコン（リモート・コントローラ）、１１２…リモコン受信部、１１３…情報提供ＵＲＩデータベース、１２１…分離手段、１２２…ＲＭＰ処理部、１２２ａ…フィルタリング手段、１２２ｂ…デバイスＩＤメモリ、１２２ｃ…ＥＣＭ復号手段、１２２ｄ…ＥＭＭ復号手段、１２２ｅ…デバイス鍵Ｋｍｉメモリ、１２２ｆ…ＥＭＭメモリ、１２２ｇ…視聴可否判定手段。
【図１】
2006135589.tif 000003
【図２】
2006135589.tif 000004
【図３】
2006135589.tif 000005
【図４】
2006135589.tif 000006
【図５】
2006135589.tif 000007
【図６】
2006135589.tif 000008
【図７】
2006135589.tif 000009
【図８】
2006135589.tif 000010
【図９】
2006135589.tif 000011
【図１０】
2006135589.tif 000012
【図１１】
2006135589.tif 000013
【図１２】
2006135589.tif 000014